(57)【要約】  クリーニング装置は、ハンドル、ハンドルに結合された支持体、および支持体上に取り付けることのできるクリーニングエレメントを含む。支持体は、ハンドルに取り付けられ、あるいは、ハンドル内に取り付けられた駆動モーターによって回転するために、ハンドルに回転可能に結合される。クリーニングエレメントは、支持体の周囲または支持体上に取り付けることのできるコアの周囲に取り付けられた柔軟性のあるマットから延びるブリスルを含んでもよい。クリーニングシートは、支持体、コア、またはクリーニングエレメントの周囲に巻くことができ、ブリスル上に巻くことおよびブリスルを貫通して巻くことを含み、２つのクリーニング効果が得られる。【選択図】  図２１
2007512026.tif 000002
【特許請求の範囲】
【請求項１】
クリーニングエレメントと、
クリーニングエレメントを保持するための支持手段と、
クリーニングエレメント支持体に結合されたハンドルと、
を備えるクリーニング装置。
【請求項２】
支持体に回転可能に結合されたハンドルと、
ハンドル内に保持されかつ回転可能な出力シャフトを有する電気駆動手段であって、出力シャフトが支持体に結合され、電気駆動手段を作動させたとき、支持体を回転させる電気駆動手段と、
をさらに備える、請求項１に記載のクリーニング装置。
【請求項３】
出力シャフトを支持体に結合するための手段をさらに備える、請求項２に記載の装置。
【請求項４】
前記結合手段が、接続および分離が可能なクラッチを備える、請求項３に記載の装置。
【請求項５】
前記電気駆動手段が、
ハンドル内に取り付けられたモーターと、
ハンドル内に取り付けられかつモーターに結合された電源と、
を備える、請求項２に記載の装置。
【請求項６】
前記モーターが、可変速度モーターである、請求項５に記載の装置。
【請求項７】
前記モーターが、出力シャフトを双方向に回転させる、請求項５に記載の装置。
【請求項８】
前記クリーニングエレメントが、
コアに取り付けられるクリーニング部材によって形成された外面を有するマットを備える、請求項１に記載の装置。
【請求項９】
前記クリーニング部材が、マットから延びる複数のブリスルを備える、請求項８に記載の装置。
【請求項１０】
前記ブリスルが、マット上に均一に所定の間隔を置いて配置された、請求項９に記載の装置。
【請求項１１】
前記ブリスルが、同じ高さかまたは異なる高さのどちらか一方を有する、請求項９に記載の装置。
【請求項１２】
前記ブリスルが、同じ程度の弾力性かまたは異なる弾力性のどちらか一方を有する、請求項９に記載の装置。
【請求項１３】
前記ブリスル上に配置されたシートをさらに備える、請求項９に記載の装置。
【請求項１４】
前記シートが、乾燥しかつ吸収性がある、請求項９に記載の装置。
【請求項１５】
前記シートが、事前に湿っている、請求項９に記載の装置。
【請求項１６】
前記シートが、乾燥しかつ水活性化材料で処理されている、請求項９に記載の装置。
【請求項１７】
前記シートが、クリーニング媒体を含む、請求項９に記載の装置。
【請求項１８】
前記シートが、脱臭媒体を含む、請求項９に記載の装置。
【請求項１９】
前記シートが、消毒媒体を含む、請求項９に記載の装置。
【請求項２０】
前記シートが、薬剤を含む、請求項９に記載の装置。
【請求項２１】
前記シートが、コンディショニング媒体を含む、請求項９に記載の装置。
【請求項２２】
マット上にかつブリスル間に着脱可能に取り付けることのできる手段であって、前記手段がマットから取り外されるとき、ブリスルによって集められた遊離物を除去する手段をさらに備える、請求項９に記載の装置。
【請求項２３】
前記手段が、マット上のブリスル上に取り付けることのできる開口を有するシートを備える、請求項２２に記載の装置。
【請求項２４】
前記手段が、マットおよびブリスル上に取り付けることのできるケージであって、ブリスルの隣接するグループ間に配置された所定の間隔を有するレッグを有するケージを備える、請求項２２に記載の装置。
【請求項２５】
前記手段が、マット上に取り付けることのできる交差する撚糸を有するメッシュネットであって、隣接するブリスル間に撚糸を配置することができるメッシュネットを備える、請求項２２に記載の装置。
【請求項２６】
前記メッシュネットが、マットとヒンジ式に形成される、請求項２５に記載の装置。
【請求項２７】
前記クリーニングエレメントが、方向性のある布を備える、請求項８に記載の装置。
【請求項２８】
前記クリーニングエレメントが、不織布のシートを備える、請求項８に記載の装置。
【請求項２９】
前記クリーニングエレメントが、支持体上に取り付けることのできるマットから延びる複数のブリスルをさらに備える、請求項２８に記載の装置。
【請求項３０】
前記ブリスルが、布シートを貫通して延びている、請求項２９に記載の装置。
【請求項３１】
前記シートが、マット上のブリスルの形状になじんでいる、請求項２９に記載の装置。
【請求項３２】
前記シートが、ロール状に巻かれた分離可能な複数のシートとして提供される、請求項２８に記載の装置。
【請求項３３】
布が、乾燥しかつ吸収性がある、請求項３２に記載の装置。
【請求項３４】
前記布が、乾燥しかつ液体によって活性化される、請求項３１に記載の装置。
【請求項３５】
前記布が、媒体で事前に湿っている、請求項３２に記載の装置。
【請求項３６】
繊維布の端部をマット上の定位置にクランプするために、マットが取り付けられた支持体またはコアのどちらか一方に取り付けられたクランプ手段をさらに備える、請求項２９に記載の装置。
【請求項３７】
前記クランプ手段が、
支持体またはコアのどちらか一方に取り付けられた旋回部材であって、前記クランプ手段が、布から離れた第１の位置と布に係合する第２の位置との間を旋回する旋回部材を備える、請求項３６に記載の装置。
【請求項３８】
前記クランプ手段が、
支持体の周囲に取り付けられたときにお互いに離れたマットの向かい合った端部と、
マットの端部をラッチ式に収容してマットを支持体またはコアのどちらか一方にしっかりと固定するための、マットの向かい合った端部と、マットが取り付けられる支持体またはコアのどちらか一方とに取り付けられた手段と、
を備える、請求項３６に記載の装置。
【請求項３９】
前記クランプ手段が、
マットが支持体またはコアのどちらか一方の周囲に取り付けられたときにお互いに離れたマットの向かい合った端部と、
支持体またはコアのどちらか一方のスロットに取り外し可能に取り付けるための、マットの向かい合った端部に取り付けられた手段と、
マットの端部をスロット内に固定するために、スロット内に取り外し可能に取り付けられたクランプ部材と、
を備える、請求項３６に記載の装置。
【請求項４０】
前記クリーニングエレメントが、
交互に現れる山と谷とを画成する連続的に配列された複数の突起と、
弾性材料から形成されたクリーニングエレメントであって、それによって、クリーニングエレメントが、表面上を押し動かされるとき、隣接する山がお互いに弾性的に移動し、表面上の老廃物を近接して配置された山の間に捕らえるクリーニングエレメントと、
を備える、請求項８に記載の装置。
【請求項４１】
前記クリーニングエレメントが、
支持体上に取り付けることのできるコアと、
コア上に取り付けられたマットと、
をさらに備える、請求項８に記載の装置。
【請求項４２】
マットをコアにクランプするためにコア上に取り付けられたクランプ手段をさらに備える、請求項４１に記載の装置。
【請求項４３】
前記クランプ手段が、前記コア上に旋回可能に取り付けられたクランプ部材である、請求項４２に記載の装置。
【請求項４４】
前記クランプ手段が、マットをコア上に固定するために、コア上に着脱可能に取り付けられた分離したクランプ部材を備える、請求項４２に記載の装置。
【請求項４５】
前記マットが、
両側の端部を有するシートと、
マットの端部をコアに取り外し可能に固定するために、コアとマットの端部とに取り付けられた手段と、
を備える、請求項４１に記載の装置。
【請求項４６】
前記ロック手段が、連続的な輪の状態でマットの端部をコアの周囲にスナップ式に接続するために、マットの端部に形成された表面に係合可能に嵌合するスナップを備える、請求項４５に記載の装置。
【請求項４７】
前記手段が、マットに取り付けられた嵌合開口にスナップ式に係合するためにマットに取り付けられた留め具を備える、請求項４５に記載の装置。
【請求項４８】
前記支持体上にマットを固定するためにマット上に取り付けることのできるクランプ手段をさらに備える、請求項８に記載の装置。
【請求項４９】
ハンドルに結合された管路を通って内部へ流れる空気流を生成するために、ハンドル内に取り付けられかつ駆動手段に結合された真空発生手段であって、前記管路が真空発生手段とハンドルに結合された老廃物収集チャンバーとに流体連絡した状態で配置された真空発生手段をさらに備える、請求項１に記載の装置。
【請求項５０】
支持体の周囲に配置されたシートを含むクリーニングエレメントをさらに備える、請求項１に記載の装置。
【請求項５１】
前記シートが、支持体の少なくとも１つの表面部分上に延びている、請求項５０に記載の装置。
【請求項５２】
前記クリーニングエレメントが、実質的に支持体の外面全体に延びた、請求項５０に記載の装置。
【請求項５３】
シートの自由端を支持体の定位置にクランプするためのクランプ手段をさらに備える、請求項５０に記載の装置。
【請求項５４】
さらに、前記クランプ手段が、支持体に取り外し可能に取り付けることのできるクランプ部材を備える、請求項５３に記載の装置。
【請求項５５】
前記クランプ手段が、シートを支持体上に固定するために支持体に取り付けられかつシートの固定位置へ移動することのできる旋回部材を備える、請求項５３に記載の装置。
【請求項５６】
布シートを密封状態で取り囲むために支持体上のシート上に取り付けることのできる保護キャップをさらに備える、請求項５０に記載の装置。
【請求項５７】
前記保護キャップが、保護キャップをシートの周囲の支持体に密封状態で取り付けるために、摩擦によって支持体に取り付けることのできる開口端を有する容器を備える、請求項５６に記載の装置。
【請求項５８】
前記保護キャップが、支持体上のシートの周囲に密封状態で取り付けることのできるヒンジ式に結合された第１および第２の部分を備える、請求項５６に記載の装置。
【請求項５９】
ハンドルを含むブラシと、
ブラシ上に取り付けられたブリスルと、
ブリスルの周囲に配置されたシートと、
を備えるクリーニング装置。
【請求項６０】
前記シートが、ブラシの少なくとも１つの表面部分上に延びている、請求項５９に記載の装置。
【請求項６１】
前記シートが、ブリスルの周囲に複数回巻かれている、請求項５９に記載のクリーニング装置。
【請求項６２】
少なくともいくつかのブリスルが、シートを貫通して延びている、請求項５９に記載のクリーニング装置。
【請求項６３】
ブリスル上に固定されたシートをさらに備える、請求項５９に記載の装置。
【請求項６４】
前記シート手段が、乾燥している、請求項５９に記載の装置。
【請求項６５】
前記シートが、事前に湿っている、請求項５９に記載の装置。
【請求項６６】
前記シートが、クリーニング媒体で事前に湿っている、請求項５９に記載の装置。
【請求項６７】
前記シートが、脱臭媒体で事前に湿っている、請求項５９に記載の装置。
【請求項６８】
前記シートが、消毒媒体で事前に湿っている、請求項５９に記載の装置。
【請求項６９】
前記シートが、薬剤で事前に湿っている、請求項５９に記載の装置。
【請求項７０】
マット上にかつブリスル間に着脱可能に取り付けることのできる手段であって、前記手段がマットから取り外されるとき、ブリスルによって集められた遊離物を除去する手段をさらに備える、請求項５９に記載の装置。
【請求項７１】
ハンドルを含む支持体と、
支持体上に取り付けられたクリーニングエレメントと、
クリーニング装置の少なくともクリーニングエレメントを密封状態で収容しかつ取り囲むように構成された開閉可能な容器と、
を備えるクリーニング装置。
【請求項７２】
クリーニング装置の全体を収容するように構成された前記容器と、
クリーニングエレメントが吸収するための流体を容器の中に配置するのを可能にする容器に形成された封止可能な開口と、
をさらに備える、請求項７０に記載のクリーニング装置。
【請求項７３】
前記ハンドルが、支持体に取り外し可能に係合することができる、請求項１に記載のクリーニング装置。
【請求項７４】
前記ハンドルが、支持体と一体的に形成されている、請求項１に記載のクリーニング装置。
【発明の詳細な説明】
【背景】
【０００１】
[0001]本発明は、クリーニング装置に関し、より詳細には、ペット用のクリーニング装置またはグルーミング装置に関する。
【０００２】
[0002]このような粘着テープは、衣類、床、およびその他の表面から望ましくない塵を取り出すのに使用される。より詳細には、粘着テープロールは、そのロールをごみの上で転がしてそのごみを効率的に取り出しかつそのごみを保持するように意図された粘着剤を備え、そして、場合によって、粘着剤から塵を洗い流すことによって、または当分野におけるピーリングシステムの１つを用いて汚れた最も外側の層を剥ぎ取ることによって、クリーニングされる。
【０００３】
[0003]従来技術による装置の中には、シートを容易に除去するのを助けるために、特有の孔、スリット、および非粘着性のエッジパターンを利用するテープロールの使用を説明しているものがある。テープの中には、クレープ紙、平らなバックペーパー、またはシリコン処理紙を利用するものがあり、そのテープは、水に濡れると劣化する。その他の糸くず取り器は、ロールの直径を大きくするために、粘着剤コーティングを備えるエンボス加工のフィルムを使用する。
【０００４】
[0004]当分野において既知であるその他の装置は、ゴムのようなネバネバする水洗いのできるコーティングを利用し、そのコーティングは、コア上に押し出され、そして、糸くずローラー組立品上に配置される。これは、ネバネバするロールを水で洗浄することを提供するが、ピーリングオプションは提供しない。乾燥エッジまたはポップアップ式タブによってさえも、糸くずロールのきつく巻かれた特質およびただ１つのロールが長期間にわたり使用される可能性は、乾燥エッジを下層シートに付着させることさえもある。
【０００５】
[0005]いずれのテープロールの場合にも、テープの終了点を配置することは、時間のかかる作業となることがあり、それに加えて、残りのテープロールから終了点のエッジを引き離すのは難しいことである。
【０００６】
[0006]糸くずローラーは、典型的には、本体上に回転可能に取り付けられた糸くずロールを有し、その本体からはハンドルが延びる。糸くずロールは、クリーニングされるべき表面上を転がされる。ユーザがローラーを表面上で動かす速度によって発生する遠心力は、表面から離された後でさえも、しばしば、ロールを回転させ続ける。ユーザがロールを表面上で動かす距離は、それぞれの用途ごとに異なるかもしれないので、また、遠心力のために、テープロールの自由端は、下層本体およびハンドルに対して、絶えず、ロールの外周における位置が変化する。これは、汚れた最も外側のシートをロールから取り除くために、絶え間なく変わる自由端の位置を探し出すのを困難にする。
【０００７】
[0007]したがって、エッジ配置機能を有する糸くずローラー装置を提供することは望ましいことであり、そのエッジ配置機能においては、テープロールの自由端は、ハンドルおよびローラー本体またはスイベルに対して、いかなる場合にも同じ位置に配置される。また、ユーザがクリーニング作業の後に糸くずロールの自由端を確定した定位置に配置することのできる糸くずローラー装置を提供することは望ましいことである。また、ハンドルに対してクリーニングエレメントを自動的に回転させるための自動回転手段を有する糸くずローラー装置を提供することは望ましいことである。また、ロールの回転中にテープロールの最も外側のシートの自由端を下層シートから引き離すための手段を含む糸くずローラー装置を提供することは望ましいことである。
【概要】
【０００８】
[0008]本発明は、クリーニングエレメント、クリーニングエレメントを保持するための支持手段、およびクリーニングエレメント支持体に結合されたハンドルを含むクリーニング装置に関する。一態様においては、支持体は、ハンドル、およびハンドルから軸方向に固定されて延びるスピンドルを含み、回転可能な部材が、スピンドル上に回転可能に取り付けられ、クリーニングエレメントが、回転可能な部材上に取り付けられる。
【０００９】
[0009]別の態様においては、回転手段が、支持体内に取り付けられた電気駆動手段を含み、その駆動手段は、回転可能な出力シャフト、駆動手段に選択的に結合される電源、クリーニングエレメントに結合されかつそのクリーニングエレメントとともに回転することのできる回転可能な部材、および出力シャフトを回転可能な部材に結合する手段を有する。
【００１０】
[0010]結合手段は、歯車伝動装置であってもよい。
【００１１】
[0011]本発明は、また、クリーニング作業を実行するのを容易にするために、また、汚れた最も外側のシートをロールから取り外すの容易にするために、糸くずロールを保持する支持体を回転させるための電気駆動手段を含む。
【００１２】
[0012]別の態様においては、クリーニングエレメントは、クリーニング部材によって形成された外面を有するマットである。クリーニング部材は、マットから延びる複数のブリスルを含んでもよい。さらに、ブリスルは、山と谷とが交互に現れるように配置された鋸歯状の突起であってもよい。
【００１３】
[0013]シートが、ブリスル上に取り付けられてもよい。シートは、不織布のような布シートであってもよく、その不織布は、ペットまたはその他の表面に塗布するための、クリーニング溶液、脱臭溶液、薬剤溶液、またはその他のクリーニング溶液またはグルーミング溶液を含んでもよい。
【００１４】
[0014]別の態様においては、手段が、マット上にかつブリスル間に取り外し可能に取り付けられることが可能であり、その手段が、マットから除去されると、ブリスルによって集められた遊離物を除去する。一態様においては、手段が、シートまたはケージに形成された開口であり、それによって、ケージをブリスル上に取り付けることができる。さらに、手段は、隣接するブリスル間に配置することのできる交差する撚糸を有するメッシュネットであってもよい。
【００１５】
[0015]また、クランプ手段が、シートの自由端を支持体またはコアにクランプするために、コア、支持体、またはマット上に提供されてもよく、あるいは、支持体またはコアに分離可能に取り付けられてもよい。
【００１６】
[0016]別の態様においては、真空発生手段が、ハンドル内に提供され、ハンドルに結合された管路を通って内部へ流れる空気流を生成する。管路は、ハンドルに結合された老廃物収集チャンバー内に存在する真空発生手段に流体連絡した状態で配置される。
【００１７】
[0017]別の態様においては、クリーニング装置は、クリーニングエレメント、クリーニングエレメントを支持するための支持手段、およびクリーニングエレメント支持体に回転可能に結合されたハンドルを含む。クリーニングエレメントは、支持体の周囲に配置されたシートを含む。
【００１８】
[0018]別の態様においては、クリーニング装置は、ハンドルを含むブラシである。ブリスルが、ブラシ上に取り付けられる。シートが、ブリスルの周囲に配置される。シートは、乾燥していてもよく、あるいは、事前に湿らせられ、クリーニング成分、脱臭成分、または薬剤成分を含んでもよい。
【００１９】
[0019]本発明のグルーミング／クリーニング装置は、これまでに考案されたクリーニング装置、とりわけ、ペットの外被をクリーニングするために考案されたクリーニング装置またはグルーミング装置よりも優れた多くの利点を提供する。本発明による装置は、ペットの外被をクリーニングするための有効な手段を提供し、クリーニング作業とは別に、あるいは、クリーニング作業と同時に、個々のクリーニング溶液、脱臭溶液、または薬剤溶液をペットに塗布する。
【００２０】
[0020]ここで、図面を参照すると、犬、猫などを含むペットをクリーニングおよび／またはグルーミングするために好都合に使用することのできるクリーニング装置が示される。
【詳細説明】
【００２１】
[0067]図１に示される装置１６０において、ハンドル１６２は、一端から突き出たローラーシリンダ支持シャフト１６４を有する。シャフト１６４は、一対の一段高い環状フランジ１６６および１６８を有し、それらのフランジ１６６および１６８は、お互いに離れて、ハンドル１６２の一端の近くに配置される。フランジ１６６および１６８は、スロットをそれらの間に画成し、そのスロットの目的は、以降で説明される。シャフト１６４の反対側の端部は、環状スリーブ１７０において終端する。少なくとも１つのリブ１７２、好ましくは、外周上に一定の間隔を置いて配置された複数のリブ１７２が、ローラー支持体１６４の外面に沿って、フランジ１６６とスリーブ１７０との間に延びる。
【００２２】
[0068]ローラー支持シリンダ１７４は、軸方向に一定の間隔を置いて配置された一対の環状カラー１７６および１７８によって画成される。カラー１７６は、一段高い環状フランジ１８０を有し、そのフランジ１８０は、一端から半径方向に外側へ延びる。反対側のカラー１７８は、外周上に一定の間隔を置いて配置された複数のフィンガー１８２を有し、そのフィンガー１８２は、カラー１７８から延び、かつ、半径方向に外側へ延びる端部１８４において終端し、その端部１８４は、シリンダ１７４上の図示しない糸くずロール３０を支持するためのロック手段を画成する。複数のストラップ１８４が、カラー１７６と１８０との間に延び、ローラー支持体１７４のための実質的に円筒形である形状を画成する。
【００２３】
[0069]端部キャップ１８６が、カラー１７８に形成され、支持体１６４のスリーブ１７０を収容するための寸法を有する中心開口１８８を有する。内部の端部キャップ１９０が、スリーブ１７０の一方の側およびカラー１７６の一方の側から軸方向に延び、一般的にはテーパーを有する複数のフィンガー１９２を有し、そのフィンガー１９２は、それらの間に、ローラースピンドル１６４上のリブ１７２を収容するための中心開口１９４を画成する。
【００２４】
[0070]ローラーシリンダ１７４が、スピンドル１６４に取り付けられると、スリーブ１７０は、端部キャップ１８８に係合する。フィンガー１９２が、スピンドル１６４を取り囲み、シリンダ１７４がスピンドル１６４上で自由に回転するのを可能にする。
【００２５】
[0071]本発明による装置２００の別の態様が、図２〜図５に示される。糸くずローラー装置２００は、本発明の上述した態様におけるハンドルとほぼ同じであるハンドル２０２を含む。
【００２６】
[0072]ハンドル２０２は、一体部材として吹き込み成形されてもよく、あるいは、複数の結合部材として形成されてもよい。
【００２７】
[0073]同様に、回転可能なスピンドル２０４は、外周上に一定の間隔を置いて配置された複数の半径方向ストラップ１８４が、カラー１７６と１７８との間に平行に延びる一対のストラップ２０６に置き換えられていることを除けば、図６を参照して説明されるスピンドル１６４およびシリンダ１７４とほぼ同じものである。その他の点においては、シリンダ２０４は、図示しない糸くずロールを支持する際に、シリンダ１７４と同じように機能する。
【００２８】
[0074]また、シリンダは、駆動シャフトに取り付けられた中心心棒上の２つのカラーに押しつけられてもよい。
【００２９】
[0075]ここで、図６を参照すると、作動させたときにスピンドル３５６を回転させるために、ハウジング４２０内に取り付けられた電気駆動手段の別の態様の絵画図が示される。図６においては、ＤＣ電気モーターのような駆動手段４２２が、ハウジング４２０内に取り付けられる。モーター４２２の出力シャフト４２４は、支持体または軸受４２６を通って、回転可能なスピンドルに一体的にまたは機械的に結合された端部まで延びる。蓄電池４２８のような電源が、ハウジング４２０内に含まれ、モーター４２２に電気的に接続され、ハウジング４２０上に取り付けられたオン／オフスイッチ４３０によって、モーター４２２を駆動する。
【００３０】
[0076]図７に示される駆動手段は、図６に示される駆動手段に類似するものであり、類似するコンポーネントは、同じ符号で示される。
【００３１】
[0077]しかしながら、この態様においては、モーター４２２の出力シャフト４２４は、クラッチ手段４３２の一方のプレート４３０に結合される。クラッチ４３２の他方のプレート４３４は、シャフト４３６結合され、そのシャフト４３６は、回転可能なスピンドルとの連結部まで延びる。クラッチ４３２は、シャフト４３２の回転中に抵抗が発生した場合に、プレート４３０と４３４とが滑るのを可能にする。
【００３２】
[0078]図８および図９に示される装置において、モーター４２２の出力シャフト４２４は、中央歯車４４０に連結される。複数の遊星歯車４４２が、太陽歯車４４０を取り囲み、かつ、その太陽歯車４４０と係合する。そして、その遊星歯車４４２は、外側リング歯車４４６に結合される。駆動シャフト４４８が、リング歯車４４２に結合され、かつ、軸受４５０内に支持される。駆動シャフト４４８は、回転可能なスピンドルに結合される。
【００３３】
[0079]図１０には、代替のクラッチ機構４９０が示される。クラッチ機構４９０は、何らかの電気駆動手段とともに使用されるように設計され、ハウジング４２０内に取り付けられる。図１８に示される駆動モーター３４０のような駆動モーターの出力シャフトは、第１のクラッチプレート４９２に結合される。第１のクラッチプレート４９２から一定の間隔を置いて移動可能に配置された第２のクラッチプレート４９６は、駆動シャフト４９８を備え、その駆動シャフト４９８は、糸くずロールが取り付けられるスピンドルに結合されてもよく、あるいは、そのスピンドルと一体的に形成されてもよい。
【００３４】
[0080]弾性手段４９６が、第１のクラッチプレート４９２と第２のクラッチプレート４９６との間に配置される。弾性手段４９６は、ばねから構成されてもよく、そのばねは、第１のクラッチプレート４９２および第２のクラッチプレート４９４を係合させて駆動力をモーターから駆動シャフト４９８に伝達する第１のきつく巻かれた位置、および弾性手段が伸長して第２のクラッチプレート４９４を第１のクラッチプレート４９２から分離する第２の位置からは巻くことができない。弾性手段４９６のそのような伸長は、例えば、オリエンティングピンのような障害物に糸くずロール３０が衝突したときに発生し、それは、駆動モーターが依然として力をクラッチ手段４９０を介して駆動シャフト４９８に印加しようとしているにもかかわらず、実質的には、回転を妨げあるいは停止させる。これが発生したとき、弾性手段４９６は、伸長し、クラッチプレート４９２と４９４とを分離し、駆動シャフト４９８への力を遮断する。
【００３５】
[0081]障害物が除去されると、弾性手段４９６は、第２のクラッチプレート４９４を第１のクラッチプレート４９２と再び係合させる第１の位置へ巻き戻ることができる。
【００３６】
[0082]駆動モーターまたは結合手段から延びる電動の回転可能な出力シャフトの上述した態様は、典型的には、スピンドルおよび／またはクリーニングエレメントコア内の接合ソケットと回転不能に係合するハンドル組立品の一端から外側へ延びる回転可能なシャフトの形態を有し、それによって、駆動モーターを作動させたとき、スピンドルまたはコアを回転させる。また、本発明は、それとは逆の構成を本発明の範囲に含むことが理解されるはずであり、その構成においては、シャフトは、スピンドルまたはコアから延び、直接にかまたは例えば歯車伝動装置などの結合手段を介して駆動モーターに回転可能に結合されたハンドルの端部に取り付けられたソケットと係合する。
【００３７】
[0083]図１１〜図１５は、上述した回転可能なスピンドルのいずれかに直接に取り付けられてもよい代替のクリーニングエレメントを示す。
【００３８】
[0084]図１１に示されるクリーニングエレメント５００は、わずかに弾性があり、あるいは、わずかに伸長可能なマット５０８を含み、そのマット５０８は、複数の半径方向に外側へ延びるニブまたは突起５０６を備える。マット５０８は、接着剤またはそれに類似するものによって、コアに取り付けられ、そして、そのコアは、上述した回転装置における回転可能なシリンダの１つに取り付けられる。
【００３９】
[0085]図１２のクリーニングエレメント５０４は、不織布のスポンジ状材料または発泡材料から形成された円筒形マットを示す。マットは、洗い流す必要のない石鹸、または何らかのクリーニング液、ポリシング液、または消毒液、または水によって活性化される成分によって処理されてもよい。
【００４０】
[0086]図１３のクリーニングエレメント５０２は、方向性のある布を描いており、その布においては、上述したようにクリーニングエレメント５０４が回転可能なシリンダの１つの周囲に取り付けられかつ第１の方向に回転させられたときにペットおよび布から糸くず、老廃物、または毛を取り出すために、マットに取り付けられた繊維は、１つの方向に向けて配置される。エレメント５０４の逆方向への回転は、本体に取り付けられたフィンガー、クリーニングエレメントまたはフード、およびスクレーパと係合することによって、集められた老廃物をエレメント５０４から除去するのに使用されてもよい。
【００４１】
[0087]図１４は、変更されたクリーニングエレメント５００を描いており、そのクリーニングエレメント５００は、少なくとも部分的に突起５０８のない空隙５１０を含む。ヘアクリップ型クランプ５１４のようなクランプが、マット上に取り付けられ、かつ、クリーニングエレメント５００の幅のほとんどの部分に延びる旋回バー５１６を有する。ワイプシート５１２が、クリーニングエレメント５００の周囲に巻かれてもよく、そのワイプシート５１２の端部は、旋回バー５１６およびクランプの残りの部分をクリーニングエレメント５００上にクランプすることによって、定位置にクランプされる。このように、突起が、シート５１２を変形させ、そして、ワイプシート５１２をペットから汚れ、毛、ふけなどを除去するのに使用することができるのと同時に、ペットをマッサージするのに使用することもできる。ワイプシートは、好ましくは、クレンザー、コンディショナー、光沢向上剤、薬剤、ノミ駆除剤、およびダニ駆除剤によって前処理された２０ｇｓｍ（グラム／平方メートル）〜１２０ｇｓｍの不織布スパンレース生地である。駆除剤は、ユーザによって水で活性化されるかあるいは事前に湿らせて使用する準備ができた状態にある。
【００４２】
[0088]図１５は、変更された類似するクリーニングエレメント５００を描いており、そのクリーニングエレメント５００においては、ワイプシート５１２は、クリーニングエレメント５００に取り付けられた少なくとも１つの伸長可能なゴムグリッパー５２０によって、好ましくは、そのような複数のゴムグリッパー５２０によって、クリーニングエレメント５００の外面上にクランプされる。
【００４３】
[0089]図１６〜図１８に示されるクリーニング装置は、ハンドル３４２と、上述したような方向性のある布５０２のための図示しない回転可能な支持体とを含む。ハンドルは、一例として、第１の停止／開始またはオン／オフスイッチ６２０およびそれとは別個の順方向／逆方向スイッチ６２２を備える。
【００４４】
[0090]この態様においては、アーム６２４は、それの一端が、ハンドル３４２に取り付けられ、それの他端は、収集フードまたはコンパートメント６２６に接続される。コンパートメントは、図１７および図１８に示されるように、付加的なクリーニングエレメント６３０を備え、そのクリーニングエレメント６３０は、図１７に示されるような粗い布シートの形態を有してもよく、あるいは、図１８に示されるようなスクレーパブレード６３２の形態を有してもよい。開口６３４が、図１８に示されるように、フード６２６の底面に形成され、フード６２６の内部またはバッグ６４０に連絡しており、そのバッグ６４０は、締結部材、弾性部材などによって、それの開口端をフード６２６にしっかりと取り付けられ、ハンドル３４２内に含まれるモーターが通常のクリーニング回転方向から逆の回転方向に運動するとき、方向性のある布５０２から除去された老廃物を収容することができる。
【００４５】
[0091]ここで、図１９を参照すると、本発明のクリーニング装置に使用することのできる別の態様のマットまたはパッド６００が描かれている。マットまたはパッド６００は、プラスチック、紙などから形成された相当に頑丈な一般的には円筒形の管状コア６０２を含んでもよい。コア６０２は、両端に開口端を備える中空であってもよく、あるいは、以下で説明するような駆動手段またはモーターの駆動シャフトを収容するための中心内腔を備える１つの閉鎖端を有してもよい。さらに、マットまたはパッド６００は、マットまたはパッドを形成する材料がパッド６００の内部のほぼ全体に満ちたコアのないものであってもよい。
【００４６】
[0092]マットまたはパッド６００のこの態様において、マットまたはパッド６００は、発泡材料または柔らかい柔軟性のある布材料から形成される。図示される形状において、マットまたはパッド６００は、コア６０２の周囲に取り付けられた１／１６インチから１インチまでの厚さを有する層６０４の形態を有する。層６０４は、きつく巻かれること、接着剤、摩擦嵌めなどによって、コア６０２上に保持される。
【００４７】
[0093]パッド６００の両端６０８と６１０との間に延びるスロットの形態を一般的には有する非被覆領域６０６は、パッド６００の層６０４上の側面に沿って提供される。非被覆領域６０６は、コア６０２に層６０４を取り付けるのに使用されるクランプを収容するための領域を形成し、あるいは、層６０４がスピンドルの周囲に直接に巻かれるときあるいはスピンドルに付加されるときに電気駆動手段またはモーターによって回転させられる回転可能な部材またはスピンドルに層６０４を直接に取り付けるのに使用されるクランプを収容するための領域を形成する。
【００４８】
[0094]図２０には、別の態様のクリーニングエレメント６２０が描かれている。この態様においては、クリーニングエレメント６２０は、布ワイパーまたは紙ワイパーの形態を有し、それらのワイパーは、乾燥させられてもよく、あるいは、クリーニング液、ペットアレルギーなどのための薬剤、ノミ駆除剤またはダニ駆除剤、脱臭成分などのようなクリーニング成分で事前に湿らされてもよい。
【００４９】
[0095]クリーニングエレメント６２０を構成する布ワイパーまたはクリーニングワイパーは、不水溶性である。これは、水の中に浸したときに、布が、水に溶けないこと、あるいは、容易にはバラバラにならないことを意味する。
【００５０】
[0096]ワイパー６２０を形成するための適切な材料には、不織布の基板、織布の基板、天然または合成のスポンジ、高分子のネットまたはメッシュなどが含まれる。
【００５１】
[0097]一態様においては、ワイパー６２０は、不織布の基板から形成され、その基板において、１つ以上の層は、布として織られてはいないがシート、マット、または層として形成された繊維から形成される。繊維は、無秩序に整列させられてもよく、あるいは、おおむね１つの方向に向けて配置されてもよい。また、不織布の基板は、無秩序に配置された繊維の層および方向性を有して配置された繊維の層の組み合わせから形成されてもよい。
【００５２】
[0098]不織布のワイパー６２０は、様々な材料から形成されてもよい。天然材料には、絹繊維、セルロース繊維、羊毛繊維、らくだの毛の繊維などが含まれる。セルロース繊維は、木材パルプ、綿、麻、ジュート、亜麻、およびそれらの混合物から選択された繊維を含む。不織布のワイパーを形成するのに使用されてもよい合成材料には、アセテート、アクリル、セルロース、エステル、ポリアミド、ポリエステル、ポリオレフィン、ポリビニルアルコール、ポリウレタン発泡体、およびそれらの混合物からなるグループの中から選択されたいずれかの繊維が含まれる。
【００５３】
[0099]さらに、ワイパー６２０を形成するのに使用される不水溶性の基板は、異なる機能をそれぞれが有する２つかまたはそれ以上の層から形成されてもよい。異なる機能は、材料の異なる組み合わせを用いることによって、あるいは、異なる製造プロセスを用いることによって、あるいは、それらを組み合わせることによって、得られてもよい。
【００５４】
[0100]一例として、パッド６２０は、駆動モーターの出力シャフトに接続されたスピンドル６２６上に取り付けるための中心開口またはコア６２４を画成するロールの状態で巻かれた事前に湿らせた複数のワイプシート６２２から形成される。
【００５５】
[0101]あるいは、ワイプシート６２２のロールは、コアのないものであってもよく、あるいは、スピンドル６２４に回転不能に結合されるような寸法の内腔を同様に有する中空コアプラスチックまたは中空コア紙の周囲に巻かれてもよい。
【００５６】
[0102]例として、ワイプロールのシート６２２のそれぞれは、穿孔、刻み目などによって画成された分離線６２８に沿って、ロールの残りの部分から分離することができる。穿孔６２８は、典型的には、ロールの端から端まで延びる。ステープルのような留め具、溶接または機械的な接着、または接着剤６３０が、分離可能なエッジ６２８に沿って施され、ワイプロール６２０の完全性またはロール６２０の裏面上に繰り返し被せられた形状を維持する。また、最も外側のシートをロール６２０の残りの部分から剥ぎ取って除去するのを容易にするために、引き出しフラップ６３２が、分離可能なワイパー６２８の不連続部分に提供されてもよい。
【００５７】
[0103]図２１には、クリーニング装置またはグルーミング装置６４０が描かれている。装置６４０は、相当に美的な形状を有する頑丈な外殻から構成されたハンドル組立品６４２を含み、その外殻は、握るのを容易にするために、１つ以上の弾性材料パッド６４４を含んでもよい。着脱可能なあるいはヒンジ式に結合されたバッテリーカバー６４６が、ハンドル６４２の一端に取り付けられ、ハンドル組立品６４２の内部に収容されたバッテリーコンパートメントにアクセスするのを可能にする。
【００５８】
[0104]図６〜図８に示されたものと類似する駆動モーター手段が、ハンドル組立品６４２の内部に取り付けられる。遅い／速い速度制御ボタン６４８およびそれとは別個の順方向／逆方向制御ボタン６５０が、ハンドル組立品６４２上に取り付けられ、切換可能な接点によって、ハンドル組立品６４２の内部に収容されたモーターに接続され、モーターの作動および非作動を制御し、また、モーターシャフトの回転方向を制御する。
【００５９】
[0105]この態様において、図示しないモーターの出力シャフトは、スピンドル６５０内のキー溝または内腔に接続され、そのスピンドル６５０は、一般的には、ハンドル組立品６４２に隣接する一端に第１の環状フランジ６５２を備え、かつ、他端に拡大部分またはフランジ６５４を備える円筒形の本体から構成される。フランジ６５４は、半径方向に延びる複数の不連続部分を有し、個々の部分を形成してもよく、それらの部分は、以下で説明するように、クリーニングエレメントまたはグルーミングエレメントをそれらの上に取り付けるのを可能にするために、移動可能である。小さな間隙またはスロット６５６が、スピンドル６５０の表面の長手方向に沿って形成され、クリーニングアタッチメントを収容するために、スピンドル６５０の直径がわずかに収縮および膨張するのを可能にする。
【００６０】
[0106]あるものは一般的な目的のために多くの異なる表面および物品をクリーニングするのに適したものであり、また、あるものはペットをグルーミングまたはクリーニングするのにより適したものであるいくつかの異なるクリーニングアタッチメントが、スピンドル６５０上に取り付けられてもよい。
【００６１】
[0107]そのようなグルーミングエレメント６６０の１つが、図２２および図２３に示される。エレメント６６０は、使用位置にあるときには一般的には円筒形であるマットまたはパッドの形態を有する。この態様におけるパッド６６０は、基板６６２を有する、エラストマー、ゴム、または柔らかいプラスチックのような弾性材料から形成され、その基板６６２から、円錐形または円筒形の複数のブリスル６６４が、半径方向に突き出ている。ブリスル６６４は、それら自身が、それぞれ、弾性を有し、きわめて近接して配置され、基板６６２の外面の大部分を覆う。図２３に示されるように、場合によって、小さなニブ６６６が、それぞれのブリスル６６４の端部に形成されてもよい。
【００６２】
[0108]基板６６２およびブリスル６６４は、成形されてもよく、さもなければ、シートの形態かまたは閉じた連続的な円筒形の形態を有する一体的かつ均質な部材として形成されてもよい。シートの形態をパッド６６０に使用することは、パッド６６０を一般的には管状または円筒形のコア６７０上に取り付けるのを容易にする。コア６７０は、両側のクランプ面６７２および６７４によって形成された長手方向に延びるクランプ溝を有する。蟻形の片側を形成するクランプ面６７２および６７４は、基板６６２の嵌合傾斜端部を収容するようになっているものであり、その嵌合傾斜端部は、クランプ溝にスナップ式に嵌り込み、基板６６２をコア６７０の周囲に取り付ける。
【００６３】
[0109]そして、独立したクランプ６７６が、基板６６２のいずれかの領域または部分上に取り付けられてもよい。一態様においては、クランプ６２６は、図２２に示されるように、基板６６２の縦部分に沿った隙間または空隙上に取り付けられる。図２４により詳細に示されるクランプ６７４は、エラストマー、ゴム、または柔らかいプラスチックなどのような弾性材料から形成され、両側に第１および第２の端部６７８および６８０を備えるストリップ状の主要部分６７６を有する。ストリップ部分６７６は、基板６６２との係合を容易にするために、内側に延びる歯または突起６８２を含んでもよい。クランプ６７４の第１および第２の端部６７８および６８０は、内面上に歯または鋸歯６８２を備える内側に延びる端部を有する。第１および第２の端部は、図２２および図２３に示されるように、コア６７０のクランプ溝の端部に形成された凹部に係合するなっているものであり、パッド６６０上のクランプ６７４にスナップ式に嵌り込み、それによって、パッド６６０の端部をコア６７０上の定位置に張り付けかつ保持する。クランプ６７４の端部６７８および６８０の内面上の歯６８２と相補的な場合によっての歯または突起の形態が、コア６７０の両側の端部に形成され、それによって、クランプ６７４をコア６７０にしっかりと取り付けかつ取り外すのを容易にしてもよい。
【００６４】
[0110]パッド６６０は、ペットをグルーミングし、クリーニングし、そして、マッサージするのに有益である。
【００６５】
[0111]ここで、図２５および図２６を参照すると、本発明のスピンドルの１つに取り付けることのできる別のマットまたはパッド６９０が描かれている。パッド６９０は、より大きな円錐形の複数の突起６９２を含み、それらの突起のそれぞれは、一例として、小さなニブ６９４において終端する。円錐形の突起６９２は、基板６９６の周囲にいくぶん無秩序な間隔を置いて配置され、それによって、それらの突起６９２は、均質な本体を形成する。基板６９６は、連続的な閉じた円筒形の部材として、あるいは、図２６、図２７、および図２８に示されるように、管状または円筒形のコア６９８の周囲に巻きつけられるシートとして、形成されてもよい。シート６９６の両側の端部７００および７０２は、コア６９８の長手方向に延びる不連続部分における逆傾斜エッジ７０４および７０６に対して相補的な形状を有し、それによって、基板６９６の端部は、スナップ嵌めによって、コア６９８に取り付けられる。この態様においては、薄いリブ７０８が、コア６９８から、内側に向かい合ったエッジ７０４と７０６との中間に延び、図２５および図２６に示されるように、基板６９６の端部を分離する。
【００６６】
[0112]パッド６９０は、ペットを毛の奥までグルーミングおよびマッサージするのに有益である。
【００６７】
[0113]図２７および図２８には、基板７１４上に近接して配置されたより小さな複数の突起７１２を備える類似するパッド７１０が描かれている。この場合にも一例として、それぞれの突起７１２は、端部ニブ７１６において終端する。基板７１４は、上述したやり方と同じようにしてシート状の基板７１４の蟻形端部７２０および７２２をスナップ嵌めによって収容するための相補的な凹部によって、コア７１８上に取り付けられる。
【００６８】
[0114]図２９および図３０は、本発明の別の態様に基づいた別のパッド７２０を描いている。パッド７２０は、基板７２２を含み、その基板７２２から、図２２に示されるニブ６６４に類似する一般的には円錐形の複数のニブ７２４が延びる。基板７２２は、一例として、フィンガー７２６および７２８において終端する両側の端部を備えるシート状の形態に分類され、それらのフィンガー７２６および７２８は、スロット７３０および７３２によって、基板７２２の主要部分から隔てられる。基板７２２は、一般的には管状の円筒形断面を有するコア７３６の周囲に取り付けることができる。一例として、複数の、例えば、３つの外周上に一定の間隔を置いて配置されたリブ７３８が、コア７３６の内部に形成され、コア７３６の両端間に延びる。中空であってもよいリブ７３８は、以下で説明する嵌合モーター駆動スピンドルにコア７３６を取り付けるための配置構造を提供し、その嵌合モーター駆動スピンドルは、リブ７３８に対して相補的な外周上に一定の間隔を置いて配置された複数の凹部を有し、リブ７３８を摺動可能に収容し、コア７３６をスピンドル上に取り付ける。
【００６９】
[0115]コア７３６は、外周上に一定の間隔を置いて配置されかつコア７３６に形成されたスロット７３０および７３２と係合するようになっている端部フィンガー７４０および７４２を含み、基板７２２をコア７３６に取り付ける。図３０に示されるように、基板７２２の端部７２６および７２８が、コア７３６上に取り付けられると、端部７２６および７２８の内側に向かい合った面は、チャンネルによって隔てられる。
【００７０】
[0116]滑らかな内側エッジまたは歯のある内側エッジ７４８を備える細長いバーの形態を有する旋回クランプ部材７４６が、旋回ピンによって、コア７３６の一端７５０に旋回可能に接続される。クランプ７４６は、コア７３６上に基板７２２を取り付けあるいは取り外すのを可能にする図２９に示される第１の開いた位置から、クランプ７４６の内面７４８がコア７３６の内面に係合する第２の閉じた位置まで旋回することができる。この閉じた位置または第２の位置において、クランプ７４６は、基板７２２の内側に向かい合った端部間に配置され、それによって、基板７２２の端部７２６および７２８が、コア７３６から外れおよび離れるのを防止する。
【００７１】
[0117]ここで、図３１を参照すると、一例として、変更されたコア７３６上に取り付けられたさらに別のパッド７６０が示される。この態様においては、コア７３６は、ほぼ連続的な円筒形の本体を画成する。
【００７２】
[0118]パッド７６０は、基板７６２を含み、その基板７６２から、一般的には鋸歯状または三角形の突起７６４が延び、それらの突起７６４は、長手方向に延びる列および隣接する列間に存在する横方向に延びる円弧に配置される。円、楕円などを含むその他のパターンが、突起７６４のために提供されてもよい。それぞれの突起７６４は、隣接する山７６６間の谷７６８の間に延びる山７６６によって画成される。
【００７３】
[0119]突起７６４は、柔らかいプラスチック、ゴム、エラストマーなどのような弾性材料から形成され、突起７６４が、ペットの外被または毛の表面上を動かされるときに、挟む作用をもたらす。そのような運動中、隣接する山７６６のいくつかは、お互いに近づき、隣接する山７６６間の公称の空隙を狭め、挟む作用をもたらし、それによって、何らかの抜け毛またはペットの柔毛を取り込んで除去する。ペットから抜けた後にそのようにして取り込まれた毛は、突起７６４がそれらの通常の間隔を有する位置にあるとき、突起７６４から放出される。
【００７４】
[0120]図３２に示されるように、同一のコア７３６およびクランプ７４６が、単一のワイパーまたはワイパー７８０のロールとともに使用されてもよい。ワイパー７８０は、柔らかい布または紙の単一層または複数層から形成され、それらの層は、液体を吸収するために乾燥させられてもよく、あるいは、クリーニング、薬剤の塗布、脱臭などのために事前に湿らせたワイパーとして提供されてもよい。クランプ７４６は、ワイパー７８０のロールの端部を、ハンドル組立品７４２から延びるスピンドル上に一体的に保持するのに使用される。あるいは、図２０に示される留め具およびタブの構成が、独立したクランプを必要とせずに、使用されてもよい。
【００７５】
[0121]パッド６６０、６９０、７１０、および７６０のようなブリスルを備えるマットまたはパッドのいくつかを使用することは、頻繁に使用することによって、ペットの毛または柔毛のような毛を集めることが既知である。いくつかの独特の毛除去アタッチメントは、マット上のブリスル間に集められた毛を除去するのを容易にするためのマットを備えてもよい。
【００７６】
[0122]図３３に示されるそのようなアタッチメントの１つは、表面８０２および両側の側面エッジ８０４および８０９を有するワイパー８００である。ワイパーは、管として巻かれ、あるいは、ワイパー８００をスピンドル上に取り付けるためのベースを有するコアの周囲に巻かれる。
【００７７】
[0123]スロット８０８のような形状を有する一例として示される複数の開口が、表面８０２の第１の側面エッジ８０４と反対側にある第２の側面エッジ８０５との間に形成される。スロット８０８は、マット７２２のようなマット上のブリスル７２４の列上に取り付けることができ、ワイパー８００の表面８０２の外面からブリスル７２４が外側へ突き出るのを可能にする。これは、犬または猫のようなペットから毛をすき取りあるいは除去する際に、ブリスル７２４がそれらの通常の機能を実行するのを可能にし、除去されたそのような毛または柔毛は、ブリスル間に絡みついた状態となる。
【００７８】
[0124]ワイパー８００は、クリーニング装置から毛を効率的に除去するために、マット７２２から取り外され、ブリスル７２４に絡みついた毛のすべてをブリスル７２４から引き抜いてもよい。
【００７９】
[0125]図３４は、モーター駆動スピンドルを取り付けるための開口８１８を備える端壁８１６から構成された代替のケージ８１４を描いている。複数のレッグ８２０が、端壁８１６から突き出ており、外周上に一定の間隔を置いて配置される。一定の間隔を置いて配置されたレッグ８２０は、それらの間に開口８２２を画成し、それらの開口８２２は、図示しないスピンドル上に取り付けられたマット７２２上に存在するブリスル７２４のようなマット上のブリスルの周囲に延びる。
【００８０】
[0126]レッグ８２０の反対側の端部は、フレア加工され、あるいは、内側へ延びるエッジ８２４によって形成され、マット７２２の基板の端部上にスナップ式に嵌り込む。
【００８１】
[0127]マット７２２からケージ８１４を取り外すことによって、ブリスルの周囲に絡みついた毛をブリスル７２４から引き抜く。
【００８２】
[0128]また、ケージ８１４は、事前に湿らされ、あるいは、乾燥処理されたワイパーをスピンドルまたはコア上の定位置に固定してもよい。
【００８３】
[0129]図３５には、代替のケージ８３０が描かれている。ケージ８３０は、スピンドルを取り付けるための中心開口８３６を有する端部キャップ８３４から横方向および縦方向に延びる大きく間隔を置いて配置された撚り合わせられた撚糸、スクリム、または接着剤を塗布したウェブまたはテープ８３２から形成された薄い網状格子の形態を有する。撚糸８３２は、マット７２２上に取り付けることができ、また、マット７２２に隣接して配置される。ブリスル７２４は、格子から突き出る。ケージ８３０がその上に配置されたマット７２２から十分に粘着力のあるケージ８３０を取り外すことによって、撚糸８３２は、ブリスルの周囲に絡みついた毛をブリスル７２４から引き抜くことができ、集められた毛をマット７２２から除去するのを容易にする。
【００８４】
[0130]図３６において、基板８４０は、発泡体、スポンジ、スパンレース、不織布材料、テリークロスなどから形成されたシートの形態で開示される。打抜によるスロットのような複数の開口またはスロット８４２が、基板８４０に形成される。スロット８４２は、ブリスルがそのスロットから自由に通り抜けるのを可能にするために、マット上のブリスルの列と整列するように配置される。このように、基板８４０は、ブリスルの基部に隣接するマットのコア上に配置され、それによって、ブリスルによるグルーミング、マッサージ、毛または柔毛の除去をもたらし、それと同時に、基板８４０に含まれる薬剤、クリーニング液、コンディショニング液、脱臭液、またはそれらのいずれかを組み合わせたものを塗る。
【００８５】
[0131]図３７において、撚り合わせられた撚糸８５２によって形成されたスクリムまたは格子８５０は、ブリスル８５６を備えるマット８５４と一体的に形成される。スクリム８５０は、一体的に形成された一体ヒンジ８５８によって、マット８５４に接続される。
【００８６】
[0132]基板８５４が、電動の回転可能なスピンドルに取り付けることのできるマット８５４の周囲に取り付けられると、スクリムは、ブリスル８５６上に巻きつけられる。スクリムまたは粘着性のあるウェブテープ８５０の自由端をブリスル８５４から引き離すことによって、絡みついた毛をブリスル８５４から除去する。
【００８７】
[0133]最後に、独立したスクリムネットまたは格子８６０が、図３８に示される。スクリムネットまたは格子８６０は、撚り合わせられた撚糸８６２からなる独立したエレメントとして構成され、それらの撚糸８６２は、周辺撚糸８５３によって、それらの周囲を結ばれ、一体的なネットを形成する。スクリム８６０は、ブリスル７２４に絡みついた毛を簡単に除去するのを助けるために、コアに取り付けられたマット７２２上のブリスル７２４上に取り付けられてもよい。
【００８８】
[0134]また、スクリムネットまたは格子８６０は、コアの周囲に複数回巻かれてもよいことに注意されたい。また、スクリムネットまたは格子は、巻かれたロール構造でテープを保持し、しかも、テープの最も外側の分離可能な部分を巻かれたテープロールの残りの部分から容易に分離できるように、剥がすことのできる接着剤を片面に有する粘着性のあるウェブテープから形成されてもよい。
【００８９】
[0135]あるいは、スクリムネットまたは格子８６０は、積み重ねられたパッドのような構造でか、または一方の面だけからブリスルが突き出た一般的には楕円形かまたは平坦な形状を有するマットのような、一方の面だけから延びるブリスルを有するマットの周囲に巻かれたロールの状態で、１つ以上の層として使用されてもよい。
【００９０】
[0136]ここで、図３９Ａおよび図４０を参照すると、上述したようなハンドル７４２およびこれもまた上述したようなマットまたはクリーニングエレメントの１つを収容するためのスピンドル８６３を含むクリーニング装置が描かれている。この態様において、二軸モーター８６４が、ハンドル組立品７４２内に取り付けられる。モーター８６４の一方の出力シャフト８６６は、歯車伝動装置８６８に接続され、その歯車伝動装置８６８の出力シャフト８７０は、スピンドル８６３に接続され、スピンドル８６３を回転させる。
【００９１】
[0137]モーター８６４の別の出力シャフト８７２は、これもまたハンドル組立品８４２内に取り付けられた真空ファン組立品８７４を駆動する。ハンドルケーシングの外部スロットから通気される真空ファンは、真空状態を生成し、真空ヘッド８７８の開口端８７６から通路８７９を通ってハンドル組立品７４２内の内部チャンバー８８０へ空気を流れさせる。チャンバー８８０の部分を覆うハンドル組立品７４２の一方の側の部分８８２は、チャンバーまたは捕捉トレイ８８０内に集められた毛または老廃物を除去するのを容易にするために、ヒンジ式に結合され、あるいは、取り外すことができる。
【００９２】
[0138]動作中、モーター８６４が、一般的な形で作動させられ、スピンドル８６３および取り付けられたマットまたはクリーニングエレメントを回転させる。マットまたはクリーニングエレメントが、犬または猫のようなペットの外被に沿って動かされると、真空ヘッド８７８の入口８７６から発生する真空力または吸引力は、ペットから除去された毛または柔毛を開口８７６から真空ヘッド８７８の中へ吸い込ませ、そして、その真空ヘッド８７８から通路８７９に沿って収集チャンバーまたは捕捉トレイ８８０へ吸い込ませる。
【００９３】
[0139]また、収集チャンバー８８０は、図示しない着脱可能な容器を含んでもよく、その容器は、通路８７９と連絡する開口を有する。容器は、集められた毛または老廃物を容器から空にするのを可能にするために、ハンドル組立品７４２内のカバーを介して取り外されてもよい。空にされると、容器は、チャンバー８８０の中へ戻されてもよく、そして、カバー８８２は、さらなるクリーニングまたはグルーミング作業のために閉じられる。
【００９４】
[0140]図３９Ｂには、変更されたハンドル８６５およびスピンドル８５７が示される。スピンドル８６７は、上述されあるいは以下で説明される本発明によるクリーニングエレメントのいずれかを収容する。
【００９５】
[0141]真空入口管路８６９は、ハンドル８６５と一体的に形成され、スピンドル８６７およびスピンドル８６７に取り付けられたクリーニングエレメントのすぐ近くにまで張り出している。
【００９６】
[0142]図３９Ａに示される真空発生装置８７４のような真空発生手段が、ハンドル８６５内に取り付けられ、管路８６９への入口からハンドル上に形成された真空出口排出ポート８７１に流れる空気流を生成する。
【００９７】
[0143]ハンドル８６５の部分は、開くことができ、あるいは、ハンドル８６５の残りの部分から分離することができ、ハンドル８６５内に形成されあるいは含まれる老廃物収集チャンバーにアクセスするのを可能にする。
【００９８】
[0144]ここで、図４１および図４２を参照すると、本発明による別の態様の電動クリーニング装置９００が示される。装置９００は、蓄電池９０８のための内部コンパートメントにアクセスするのを可能にする旋回式のまたは着脱可能な端部キャップ９０４を備えるハンドルハウジング９０２を含む。
【００９９】
[0145]双方向に回転可能なモーター９１０が、ハウジング９０２内に取り付けられる。モーターの出力シャフトは、伝動装置またはクラッチ９１２に結合される。出力シャフト９１４は、ハウジング９０２の一端において、伝動装置９１２から外側へ突き出る。駆動シャフト９１４の出力は、図４１に示される回転可能なスピンドル９１５のような回転可能な支持体にしっかりと結合される。スピンドルは、どのような断面形状を有してもよいが、一例として、スピンドルは、長手方向に延びる複数の弧状凹部９２０を備える一般的には円形の断面を有し、一例として、３つのそれらの凹部９２０が示される。凹部９２０は、図３０に示されるクリーニングエレメントコアまたは支持体内の長手方向に延びる拡張部分７３８と嵌合するようになっているものであり、スピンドル９１６とともに双方向に回転するために、クリーニングエレメントをスピンドル９１６にしっかりと結合する。
【０１００】
[0146]端部キャップ９２２が、毛または老廃物がスピンドル９１６の典型的には中空の内部に入り込むのを防止するために、スピンドル９１６の一端上に提供されてもよい。
【０１０１】
[0147]同様に、関連する側壁９２４を備えるキャップが、スピンドル９１６の他端に形成され、スピンドル９１６の端部とハウジング９０２の隣接する端部との間に存在する空地または間隙を覆い、この場合にも同様に、毛または老廃物が入り込んで駆動シャフト９１４に接触するのを防止する。
【０１０２】
[0148]適切な制御スイッチまたはプッシュボタンが、駆動シャフト９１４の回転速度および回転方向を制御するために、ハウジング９０２上に提供されてもよい。順方向および逆方向のスライドスイッチまたはロッカースイッチ９２６が、ハウジング上に取り付けられる。このスイッチは、ハウジング９０２内の回路基板９３２上に取り付けられた図４２に示されるマイクロスイッチ９２８および９３０の接点を作動させる。導体またはワイヤが、回路基板９３２からモーター９１０まで延び、蓄電池９０８からモーター９１０へ電力を供給する。また、２つの速度、すなわち、速い速度および遅い速度を有するように描かれている速度制御スイッチ９３６が、ハウジング９０２上に取り付けられる。さらに、スイッチ９３６は、回路基板９３２上の接点にまたはマイクロスイッチ９３８に接続され、モーター９１０の出力駆動シャフト９１４の回転方向を制御する。
【０１０３】
[0149]ここで、図４３および図４４を参照すると、本発明による別の態様のクリーニング装置９５０が示される。この態様において、クリーニング装置９５０は、回転しない一般的には一体的なハンドルおよび支持組立品であり、ハンドル９５２、端部キャップ９５４、およびクリーニングエレメント支持体９５６を含む。
【０１０４】
[0150]しかしながら、すぐに以下で説明されるクリーニングエレメントアタッチメントが、上述したモーター駆動の回転可能なクリーニング装置のいずれかに使用されてもよいことが理解される。
【０１０５】
[0151]この態様において、クリーニングエレメント９６０は、例えば、成形することによって、細長い一般的には平坦なまたは平面状の形状で形成される。クリーニングエレメント９６０は、切れ目のない形状かまたは不連続な形状を有するマット９６２を含み、そのマット９６２は、開口９６４および所定の角度で延びるブリスル９６６を有してもよい。ブリスル９６６は、図４３および図４４に示されるように、マット９６２から一般的には垂直に延びてもよい。
【０１０６】
[0152]マット９６２は、柔軟性のあるプラスチック材料から形成され、それによって、使用するために、マット９６２を支持体９５６または９５８の周囲に配置し、かつ、着脱可能にしっかりと定位置に固定することができる。
【０１０７】
[0153]図４３において、クリーニング装置９５０上の支持体９５６は、一般的には楕円形の形状を有するので、マット９６２は、支持体９５６の周囲に取り付けられたとき、楕円形になじみ、そのような楕円形の形状を呈する。
【０１０８】
[0154]図４４において、コアまたは支持体９５８は、断面が円形であるので、マット９６０は、同様に、円形の形状を呈する。
【０１０９】
[0155]図４３および図４４は、マット９６２をコアまたは支持体９５６または９５８にしっかりと固定するための１つの手段を描いている。図４３および図４４に示されるように、マット９６２は、マット９６２の一方のエッジから延びる少なくとも１つの、好ましくは、一対の一定の間隔を置いて配置されたストラップ９７０を含む。ストラップ９７０は、少なくとも１つの、好ましくは、複数の一定の間隔で配置された開口９７２を含む。開口９７２は、マットのエッジ部分から延びる一般的にはキノコ形の形状を有する突起９７４にスナップ式に嵌り込んで係合するようになっているものである。これは、マット９６２を支持体９５６または９５８の周囲にしっかりと固定し、マット９６２の両側のエッジ９７６と９７８とは、位置を合わせて並べた状態で、並置され、あるいは、配置される。あるいは、突起９７４が、ストラップに形成され、かつ、開口９７２が、マットに形成されてもよい。
【０１１０】
[0156]開口または突起をコアまたは支持体９５６または９５８に直接に形成することも可能である。この構成においては、対応するまたは嵌合する突起またはエレメントは、マット９６２のストラップ９７０上に、またはマット９６２のいずれかの部分に形成され、マット９６２をコアまたは支持体９５６または９５８上に容易にかつ着脱可能に取り付けるのを可能にする。
【０１１１】
[0157]マットを支持体の周囲に取り付けるための別の手段が、図４５に示される。本発明のこの態様においては、マット９７４に類似する構造を有するマット９８０は、そこから所定の角度で延びるブリスル９８２を有する。小さな直径を有する部分または一体ヒンジ９８４が、マット９８０の一方の部分に沿って長手方向に形成される。マット９８０の両側の自由端は、マット９８０の両側の自由端に一体的に含まれる受部９８８と突起９９０との形態を有するロック手段９８６を備えて形成される。突起は、受部９８８に取り外し可能に係合することができ、マット９８０を支持体の周囲に取り外し可能にしっかりと固定する。
【０１１２】
[0158]ここで、図４６を参照すると、本発明のさらに別の態様が描かれ、この態様においては、マットまたはパッドから延びる突き出たブリスルを有する上述したクリーニングエレメントのいずれか１つが、パッド状に個々に積み重ねられるかまたはマットの周囲に連続的なロールとして巻かれた１つ以上の積層の形態で、布シートを備えてもよい。ワイパー１０００とも呼ばれるシートは、どのような布シートであってもよく、例えば、２０ｇｓｍ〜１５０ｇｓｍの不織布材料からなるスパンレース生地のようなものがある。シートまたはワイパー１０００は、クリーニング、ポリシングなどのために、乾燥した状態で使用されてもよく、あるいは、適切なクリーニング剤、コンディショニング剤、ポリシング剤、コンディショニング剤、脱臭剤、フレッシュニング剤、または薬剤によって、あるいは、水で活性化された乾燥成分によって、事前に湿らされてもよい。
【０１１３】
[0159]シートまたはワイパー１０００の比較的に粗い構造のために、シートまたはワイパーは、ブリスル９６６がシート１０００を突き抜けて延びるように、力を加えながらブリスル９６６に押しつけられてもよい。所望の積み重ねられたワイパー層が提供された後、依然として、ブリスル９６６の全長のわずかな部分は、最も外側のシート１０００から外側へ延びている。ブリスル９６６が、シート１０００から延びているために、シート１０００の最も外側のエッジ１００４は、通常、マット９６２上に保持される。
【０１１４】
[0160]ゴムまたはエラストマー材料から形成されたブリスル９６６の場合、ブリスル９６６に使用されたより滑らかなプラスチック材料と比較すれば、ブリスル９６６の独特なゴムまたはエラストマー成分は、ワイパー１０００と独特に組み合わせられて、ブリスル９６６がペットの外被上を動かされるときにペットの外被から毛およびその他の老廃物を集め、そして、ワイパーの最も外側のシートをコアまたはハンドル組立品から取り除くと、ブリスル９６６によって集められたそれらの毛、柔毛、または老廃物をマット全体から除去する有益な手段を提供する。さらに、ワイパー１０００が、事前に湿らせた状態にある場合、あるいは、粘着性または接着性のある外面を備えている場合、ブリスル９６６によって集められたあらゆる老廃物、毛、または柔毛は、ワイパー１０００によって定位置に保持される。これは、単純なクリーニング作業を提供する。なぜなら、ブリスル９６６がペットの外被上を動かされるときにペットから除去されたあらゆる毛、柔毛、または老廃物は集められ、かつ、ブリスル９６６および／またはワイパー１０００上に保持されるからである。
【０１１５】
[0161]円形または楕円形の形状で形成されかつ端部同士が固定されたマット９６２は、回転可能なあるいは携帯型のクリーニング装置上で使用されてもよい。また、マット９６２は、平坦な形状で形成され、楕円形または半楕円形の形状を有するハンドルの周囲に固定されてもよい。
【０１１６】
[0162]使用中、クリーニングエレメント１００２は、ペットの外被のようなクリーニングされるべき表面上を押し動かされる。ブリスルは、もつれた柔毛または毛をほぐし、ワイパーまたはシート１０００の最も外側の表面は、ペットの外被をクリーニングし、コンディショニング液、クリーニング液、脱臭液、フレッシュニング液、薬剤液などをペットの外被に塗る。
【０１１７】
[0163]最も外側のシート１０００が、汚れたとき、エッジ１００４が、掴まれ、マット９６２から引き離される。これは、新しいシート１０００が露出するまで、最も外側のシート１０００をブリスル９６６から分離する。最も外側のシート１０００を除去する動作は、また、ブリスル９６６によってペットの外被から除去されたかもしれないあらゆる毛または老廃物をマット９６２から引き離すことに注意されたい。
【０１１８】
[0164]持続的にグルーミングし、それに続いて、余分なシート１０００をマット９６２から取り外すことは、ブリスル９６６を次第に長く露出させる。これは、より深いグルーミング効果またはマッサージ効果のために、ブリスルがペットの外被により深く入り込むことをもたらし、さらに、ペットの外被のためのコンディショニング液を塗布するために、ペットの外被をより徹底的にクリーニングすることをもたらす。
【０１１９】
[0165]さらに、シート１０００に類似するシートは、受部９８８から突起９９０に隣接して配置された反対側の端部まで延びるシートの一方の端部を備える図４５に示されるマット９８０上に存在する１つ以上の積み重ねられた個々の層に適用される長さを備えてもよいことに注意されたい。
【０１２０】
[0166]上述したクリーニングエレメント上の様々なブリスルまたは突起、および上述した一体的なハンドルおよびクリーニングエレメント支持体は、一体的なクリーニングエレメント支持体から延びるハンドル部分を有する一体的なブラシとして、簡単に実施されてもよく、その一体的なクリーニングエレメント支持体からは、複数のブリスルが、一体的に形成され、さもなければ、支持体上にしっかりと取り付けられる。
【０１２１】
[0167]上述したように構成されたシートは、少なくとも一部分のブリスルの周囲に、好ましくは、ブリスルの周囲全体に、１回以上の回数だけ巻かれてもよい。布の粗さに応じて、ブリスルは、シートを突き抜けて延びることができる。あるいは、上述したように、開口が、シートに形成されてもよく、ブリスルは、その開口を通り抜けることができる。
【０１２２】
[0168]この態様においては、シート、またはシートの巻かれたロールがすべて使用されてしまえば、ブラシ全体を捨ててもよい。
【０１２３】
[0169]ここで、図４７および図４８を参照すると、本発明による別の態様のクリーニング装置１０１０が示される。装置１０１０は、上面１０１４および底面１０１６を備えて形成された手で握ることのできる一般的には頑丈な本体１０１２を有するブラシの形態を有する。すべて符号１１８によって示される交互に現れる山および谷を備える、あるいは、図示しないブリスルを備えるリングのような複数のクリーニングエレメントが、一体成形されてもよく、あるいは、表面１０１６に取り付けられてもよい。山および谷は、図３１に示されるクリーニングエレメント７６０の山および谷と同様に構成される。リング１０１８は、弾性材料から形成され、ペットの外被に接触すると曲がり、クリーニングエレメント１０１０がペットの外被上を動くときに、毛または柔毛を掴みあるいは捕らえ、そして、ペットの外被から抜け毛または柔毛を安全に引き抜く。
【０１２４】
[0170]掴み手段または掴みエレメント１０２０は、クリーニングエレメント１０１０の表面１０１４上に取り付けられることが可能である。掴みエレメント１０２０は、表面１０１４と一体的に形成されてもよく、あるいは、独立した構成要素として、留め具、接着剤などによって、表面１０１４にしっかりと固定されてもよい。掴みエレメントは、上述したようなシートまたはワイパー１０２６のエッジ１０２２および１０２４を受け取る。シートまたはワイパー１０２６は、１回だけ巻かれた状態でクリーニングエレメント１０の周囲に延び、山および谷１０１８のほぼすべてを覆う。ワイパー１０２６のきわめて柔らかい柔軟性のある性質のために、ワイパー１０２６は、山および谷の形状になじみ、それによって、山および谷は、弾性的に動き、毛または柔毛を捕らえ、ペットの外被から引き抜くことができ、それと同時に、ワイパー１０２６上の塗布液をペットの外被に塗布する。
【０１２５】
[0171]ここで、図４９および図５０を参照すると、２つの形態の保護キャップまたは容器が示され、それらの保護キャップまたは容器は、クリーニング装置１０３０の支持部分の周囲に巻かれた事前に湿らせたシート１０００のような本発明によるクリーニングエレメントを取り囲むのに使用されてもよい。
【０１２６】
[0172]図４９に示される態様においては、保護キャップまたは容器１０３２は、閉鎖端１０３４およびそれと向かい合った開口端１０３６を有する楕円形または円形の断面を有するシリンダとして形成される。側壁１０３８は、端部１０３４と１０３６との間に延びる。
【０１２７】
[0173]キャップ１０３２の内径は、シート１０００およびそのシート１０００を貫通して延びるブリスル上に容易に嵌合するような寸法を有する。開口端１０３６に隣接するキャップ１０３２の端部１０４０は、クリーニング装置１０３０のハンドルとクリーニングエレメント支持体部分との間のリーニング装置１０３０上に形成されたカラー１０４２と摩擦嵌めまた圧力嵌めを形成するような寸法を有する。このように、キャップ１０３２は、カラー１０４２に密封状態で取り付けられてもよく、密封状態で取り囲んで、シート１０００上に事前に塗布された液体の蒸発を防止する。
【０１２８】
[0174]別の態様の保護キャップ１０５０が、図５０に描かれている。この態様においては、保護キャップ１０５０は、第１および第２の相補的な部分１０５２および１０５４を含み、それらの第１および第２の相補的な部分１０５２および１０５４は、例えば、部分１０５２と１０５４との間に一体的に形成された一体ヒンジ１０５６によって、ヒンジ式に接続される。
【０１２９】
[0175]部分１０５２および１０５４は、楕円形または円形の断面を有し、それによって、シート１０００およびそのシート１０００を貫通して延びるブリスルをぴったりと取り囲み、シート１０００を密閉状態で包含し、シート１０００に事前に塗布されたあらゆる液体の蒸発を防止する。
【０１３０】
[0176]図示しない適切なロック手段が、部分１０５２および１０５４上に含まれ、スナップ式に接続された状態で係合し、部分１０５２および１０５４が嵌合する周辺エッジの周囲に密封状態を形成してもよい。
【０１３１】
[0177]ここで、図５１および図５２を参照すると、別の容器１０６０が描かれ、この容器１０６０は、それの最初の製造場所から、クリーニング溶液、脱臭溶液、または薬剤溶液がワイパーに付加される最終的な組立場所へ運送されるときに、本発明によるクリーニングエレメントを保管するのに使用されてもよく、それに加えて、消費者が使用しないときにクリーニングエレメントを密封状態で収容し、かつ、クリーニングエレメント上のワイパーに塗布された何らかの液体が蒸発するのを防止するのに都合の良い容器を提供する。
【０１３２】
[0178]図５１に示されるように、容器１０６０は、一例として、圧力嵌め、スナップ嵌め、封止部材、ねじ、およびそれらを組み合わせたものを含む適切な手段によって密封状態で結合することのできる下部容器１０６２および上部容器１０６４を含む２つの部分からなる容器を含む。
【０１３３】
[0179]下部容器１０６２は、上部開口端１０６６を有する閉鎖端を有する容器である。
【０１３４】
[0180]また、上部容器１０６４は、下部容器１０６２の開口端１０６６と流体的に連絡するようになっている開口端１０６８を有する。上部容器１０６４の反対側の端部１０７０は閉鎖されている。小売店などで展示するときの操作、取付などを容易にするために、ハンガー１０７２が、場合によって、上部容器１０６４の閉鎖端１０７０上に形成され、あるいは、取り付けられてもよい。
【０１３５】
[0181]開口１０７４が、容器の側壁かまたは場合によって端部１０７０において、上部容器１０６４に形成される。開口１０７４は、図５２に示される液体１０７６を容器１０６０の内部に加えるための簡単な手段を提供する。
【０１３６】
[0182]ゴムストッパー、ねじ付きプラスチックキャップ、または粘着テープまたは粘着ラベルのような防湿封止部材１０８０が、液体１０７６を容器１０６０の中へ流し込んだ後に、着脱可能にあるいは永久的に、開口１０７４上に取り付けられる。
【０１３７】
[0183]使用する際に、本発明の上述した態様の１つに基づいたワイパーを有するクリーニングエレメント１０６１が、組み立てられると、それは、下部容器１０６２内に配置される。そして、上部容器１０６４が、密封状態で下部容器１０６２に結合される。この状態において、クリーニングエレメント１０６１上のワイパー１０６３は、乾燥していることに注意されたい。そして、封止された容器１０６０は、最終的な組立場所へ運送されてもよい。封止可能なカバー１０８０が取り除かれ、開口１０７４を露出させる。そして、所望の溶液、すなわち、クリーニング溶液、脱臭溶液、薬剤溶液などが、開口１０６２を介して容器１０６０の内部に流し込まれ、その容器１０６０において、それらの溶液は、ワイパー１０６３によって吸収される。そして、カバー１０８０が、開口１０７０上に密封状態で取り付けられ、容器１０６０の内部を封止する。あるいは、容器は、シール１０８０を取り付けることなく非密封状態で工場へ運送されてもよい。そして、容器は、満たされ、閉鎖手段が取り付けられる。
【０１３８】
[0184]必要なだけの液体が、開口１０７４を介して流し込まれ、ワイパー１０６３によって吸収される。
【０１３９】
[0185]ここで、完全なクリーニング組立品が、消費者によって購入されると、クリーニング装置１０６１を使用するために、消費者は、上部容器１０６４を下部容器１０６２から分離し、クリーニング装置１０６１を取り出す。使用するのを完了した後、消費者は、再び、クリーニング装置１０６１を下部容器１０６２内に差し込み、上部容器１０６４を密封状態で取り付ける。これは、クリーニングエレメント１０６１のための閉鎖された環境を形成し、ワイパー１０６３に塗布された液体が蒸発するのを防止する。
【０１４０】
[0186]上述したような取替用のワイパーカートリッジが、その後に、消費者によって購入されてもよい。交換カートリッジは、柔軟性のある封止可能な袋または容器のような封止可能な容器から取り出され、使用されたクリーニングエレメントおよびワイパー１０６３の交換品として、クリーニング装置１０６１上に取り付けられてもよい。そして、取り替えられたクリーニング装置１０６１は、再び、容器１０６０の中に差し込まれる。
【０１４１】
[0187]ここで、図５３を参照すると、本発明によるさらに別の態様のクリーニング装置１０９０が示される。この態様においては、クリーニング装置１０９０は、何らかの適切な形状を有するハンドル１０９２を含む。ハンドル１０７２は、中空であってもよく、あるいは、中実であってもよい。ハンドル１０９２の一端は、キノコ状に肥大したキャップまたはヘッド１０９４のようなロック手段の一方の部分によって形成される。ヘッド１０７４は、ハンドル１０９２の一端から一体的に延びるより小さな直径のくびれ１０９６から延びる。ヘッド１０９４は、符号１１０２によって全体が示されるクリーニングエレメントの端壁１１００に存在する開口１０９８にスナップ式に嵌り込みかつ固定するようになっているものである。端壁１１００は、円形または楕円形の断面を有する一般的には管状の支持体またはコアの一部分であってもよい。開口１０９８は、ヘッド１０９４の外径よりもわずかに小さい直径を有し、ヘッド１０９４が開口１０９８から変形可能に挿入され、そして、それの通常の形状にまで膨張するのを可能にする。これは、くびれ１０９６を開口１０９８に配置する。
【０１４２】
[0188]開口１０９８の直径およびくびれ１０９６の外径は、ハンドル１０９２とクリーニングエレメント１１０２とを固定するためのあるいはそれらを回転運動させるための相補的な寸法を有してもよい。
【０１４３】
[0189]一例として、クリーニングエレメント１１０２は、外側へ延びる複数のブリスルまたは突起１１０４および上述した不織布のようなクリーニングシート１１０６を有するように示される。シート１１０６は、単一層または複数層として、コア１１００の周囲の少なくとも一部分に、好ましくは、コア１１００の周囲全体に提供されてもよい。シート１１０６は、コア１１０の周囲に複数回巻かれる場合、上述したように、分離可能な個々のシートを備えてもよい。
【０１４４】
[0190]また、クリーニング装置内にモーターを取り付けた本発明のすべての態様においては、例えば３３デシベルの高いノイズフィルタイング機能（ＮＲＲ）を有してもよい圧縮可能な耳栓に使用される発泡材料のような防音材料が、外側の掴み面として使用するのに選択された材料との適合性に依存して、ハウジング４２０の外側または内側に取り付けられあるいは施されてもよく、あるいは、ハンドルの内部に取り付けられる場合には、適切な耐熱性、電気的絶縁性、および振動吸収性を有してもよいことに注意されたい。
【図面の簡単な説明】
【０１４５】
【図１】本発明による別の態様のクリーニング装置の分解斜視図である。
【図２】本発明による別の態様のクリーニング装置の斜視図である。
【図３】本発明による配置機能を備える別の態様のクリーニングローラー装置の分解斜視図である。
【図４】図８に示される装置の分解側面図である。
【図５】図３および図４に示される組み立てられた装置の側面図である。
【図６】本発明による別の態様のクリーニング装置の側面絵画図である。
【図７】本発明による別の態様のクリーニング装置の側面絵画図である。
【図８】本発明によるさらに別の態様のクリーニング装置の側面絵画図である。
【図９】図８の矢印９−９の方向から見た図である。
【図１０】図７〜図９に示される装置のいずれかに使用することのできる伝動手段の側面図である。
【図１１】本発明の様々な態様の回転可能なシリンダ上に取り付けることのできる代替の態様のクリーニングエレメントの斜視図である。
【図１２】本発明の様々な態様の回転可能なシリンダ上に取り付けることのできる別の態様のクリーニングエレメントの斜視図である。
【図１３】本発明の様々な態様の回転可能なシリンダ上に取り付けることのできる別の態様のクリーニングエレメントの斜視図である。
【図１４】図１１〜図１３に示される代替の態様のクリーニングエレメントの変形の分解斜視図である。
【図１５】図１１〜図１３に示される別の態様のクリーニングエレメントの変形の分解斜視図である。
【図１６】本発明の別の態様のクリーニング装置のフードの斜視図である。
【図１７】本発明の別の態様のクリーニング装置のフードの正面図である。
【図１８】本発明の別の態様のクリーニング装置のフードの底面図である。
【図１９】別の態様のクリーニングエレメントまたはマットの斜視図である。
【図２０】本発明による別の態様のクリーニングエレメントまたはマットの分解斜視図である。
【図２１】本発明による別の態様のハンドルおよびスピンドルの斜視図である。
【図２２】本発明による別の態様のクリーニングエレメントの斜視図である。
【図２３】図２２に示されるクリーニングエレメントの端面図である。
【図２４】図２２に示されるクリーニングエレメントとともに使用することのできるクランプの斜視図である。
【図２５】本発明による別の態様のクリーニングエレメントまたはマットの斜視図である。
【図２６】図２５に示されるクリーニングエレメントの端面図である。
【図２７】本発明による別の態様のクリーニングエレメントまたはマットの斜視図である。
【図２８】図２７に示されるクリーニングエレメントまたはマットの部分斜視端面図であるが、コアの周囲に部分的に組み立てられた位置にある。
【図２９】本発明による旋回クランプを備える別の態様のクリーニングエレメントまたはマットの部分側面断面図である。
【図３０】図２９の線３０−３０にほぼ沿った断面図である。
【図３１】本発明による他の態様のクリーニングエレメントまたはマットの斜視図である。
【図３２】本発明による別の態様のクリーニングエレメントまたはマットの斜視図である。
【図３３】本発明の別の態様によるマットおよびブリスルの周囲に取り付けられたケージの斜視図である。
【図３４】クリーニングエレメント上に取り付けることのできる別の態様のケージの分解斜視図である。
【図３５】クリーニングエレメント上に取り付けることのできるさらに別の態様のスクリムの斜視図である。
【図３６】本発明によるクリーニングエレメントに取り付けることのできる別のケージの拡大平面図である。
【図３７】本発明の別の態様による平らなクリーニングエレメントおよびそれと一体的なスクリムの平面図である。
【図３８】本発明のクリーニングエレメント上に取り付けることのできるさらに別の態様のスクリムの側面図である。
【図３９Ａ】本発明による別の態様のクリーニング装置を示すカバーの一部分が除去された側面図である。
【図３９Ｂ】一体的な真空手段を備える変更されたハンドルの斜視図である。
【図４０】図３９Ａに示される線４０−４０にほぼ沿った断面図である。
【図４１】本発明による回転可能なスピンドルを提供する別の態様のクリーニング装置の斜視図である。
【図４２】図４１に示されるクリーニング装置の内部コンポーネントを示すハウジングの一部分が除去された側面図である。
【図４３】回転できないハンドルおよび支持体に取り付けられる別の態様のクリーニングエレメントを示す斜視図であり、クリーニングエレメントは、支持体上に部分的に取り付けられた位置に示される。
【図４４】本発明による別の態様のクリーニングエレメントの斜視図であり、この場合も、部分的に取り付けられた状態が示される。
【図４５】図２２、図２５〜図３１、図４３、および図４４に示されるクリーニングエレメントに類似するクリーニングエレメントのための別の態様のロック手段の端面図である。
【図４６】マットから延びるブリスルの周囲に巻きつけられた事前に湿らせたシートを使用する本発明による別の態様のクリーニングエレメントの斜視図である。
【図４７】本発明による別の態様のクリーニング装置の上面斜視図である。
【図４８】図４７に示されるクリーニング装置の底面斜視図である。
【図４９】本発明のクリーニング装置上に取り付けることのできる保護キャップの正面図である。
【図５０】本発明による別の態様の保護キャップの正面図である。
【図５１】本発明のクリーニング装置を運送、展示、および使用するのに用いられてもよい別の態様の保護容器を描いている。
【図５２】本発明のクリーニング装置を運送、展示、および使用するのに用いられてもよい別の態様の保護容器を描いている。
【符号の説明】
【０１４６】
６４０…クリーニング装置またはグルーミング装置、６４２…ハンドル組立品、６４４…パッド、６４６…バッテリーカバー、６４８…速度制御ボタン、６５０…方向制御ボタン、６５０…スピンドル、６５２…フランジ、６５４…フランジ、６５６…スロット。
【図１】
2007512026.tif 000003
【図２】
2007512026.tif 000004
【図３】
2007512026.tif 000005
【図４】
2007512026.tif 000006
【図５】
2007512026.tif 000007
【図６】
2007512026.tif 000008
【図７】
2007512026.tif 000009
【図８】
2007512026.tif 000010
【図９】
2007512026.tif 000011
【図１０】
2007512026.tif 000012
【図１１】
2007512026.tif 000013
【図１２】
2007512026.tif 000014
【図１３】
2007512026.tif 000015
【図１４】
2007512026.tif 000016
【図１５】
2007512026.tif 000017
【図１６】
2007512026.tif 000018
【図１７】
2007512026.tif 000019
【図１８】
2007512026.tif 000020
【図１９】
2007512026.tif 000021
【図２０】
2007512026.tif 000022
【図２１】
2007512026.tif 000023
【図２２】
2007512026.tif 000024
【図２３】
2007512026.tif 000025
【図２４】
2007512026.tif 000026
【図２５】
2007512026.tif 000027
【図２６】
2007512026.tif 000028
【図２７】
2007512026.tif 000029
【図２８】
2007512026.tif 000030
【図２９】
2007512026.tif 000031
【図３０】
2007512026.tif 000032
【図３１】
2007512026.tif 000033
【図３２】
2007512026.tif 000034
【図３３】
2007512026.tif 000035
【図３４】
2007512026.tif 000036
【図３５】
2007512026.tif 000037
【図３６】
2007512026.tif 000038
【図３７】
2007512026.tif 000039
【図３８】
2007512026.tif 000040
【図３９Ａ】
2007512026.tif 000041
【図３９Ｂ】
2007512026.tif 000042
【図４０】
2007512026.tif 000043
【図４１】
2007512026.tif 000044
【図４２】
2007512026.tif 000045
【図４３】
2007512026.tif 000046
【図４４】
2007512026.tif 000047
【図４５】
2007512026.tif 000048
【図４６】
2007512026.tif 000049
【図４７】
2007512026.tif 000050
【図４８】
2007512026.tif 000051
【図４９】
2007512026.tif 000052
【図５０】
2007512026.tif 000053
【図５１】
2007512026.tif 000054
【図５２】
2007512026.tif 000055
【図５３】
2007512026.tif 000056
【国際調査報告】
2007512026.tif 000057
2007512026.tif 000058